(57)【特許請求の範囲】
【請求項１】
印刷基材上に帯状に連なる彩紋模様が印刷されており、前記彩紋模様の少なくとも１部に文字列が構成され、前記彩紋模様が構成される周期と前記文字列における各々の文字が構成される周期が同調するように配置され、前記彩紋模様と前記文字列との間に３０μｍ〜２００μｍの隙間を有することを特徴とする印刷物。
【請求項２】
前記文字は、前記帯状に連なる彩紋模様の外形に合わせて基となる文字の字高、文字画線の幅及び文字も形状を変形させた文字が形成されたことを特徴とする請求項１記載の印刷物。
【発明の詳細な説明】
【技術分野】
【０００１】
本発明は、銀行券、株券、パスポート、有価証券、通行券、カード等の偽造、変造を防止する必要性のある印刷物に適用される、彩紋が帯状に連なった模様の一部に前記彩紋の帯と同一基本軸線上に設けられた文字を有する印刷物に関する。
【背景技術】
【０００２】
従来から、偽造又は複写の防止を要する画像形成体、例えば貴重印刷物においては、その図柄を表現する手段として、一般的な印刷物に多く用いられている網点よりは、むしろ線画が多く用いられている。線画としては、万線状の地紋模様や、彩紋模様、銅版画にみられる凹版線画等がある。線画が貴重印刷物に多く用いられる理由は、線画によって表現された印刷物は、網点によって表現された印刷物と比べて、偽造が困難であり、また、その真正印刷物と偽造印刷物とを比べたときに真偽判別が容易な点にある。
【０００３】
具体的には、まず、網点によって表現された印刷物の場合、普及している高精度の複写機により複製することによって、真正物と誤認されるような複写印刷物が作成されてしまう。また、業務用の製版カメラや近年普及している高解像度のスキャナ等によって生け撮りした後、それを基に一般的な製版設備によって網点を再生成させて刷版を得て、これを用いて印刷を行うことにより、真正物と酷似した偽造印刷物が作製されてしまう。
【０００４】
高精細な線画によって表現された印刷物の場合、真正印刷物と違和感のない偽造印刷物を得るためには、画線の品質を忠実に表現しなければならず、前述のような手法によって得られる複写印刷物や偽造印刷物においては、画線を走査線又は網点によって表現することになるため、高品質な画線を再現することは極めて困難である。
【０００５】
また、真正物と偽造印刷物との真偽判別は、画線の品質を確認することによって行うこととなるが、前述のとおり真正印刷物の忠実な画線の再現は困難であることから、印刷分野の者だけでなく、一般人であっても、偽造印刷物の画線の違和感を一見して確認することができる。
【０００６】
複製等による偽造対策としては、シートに印刷する線の一部を拡大すると視認可能で、通常状態では単に線として視認される程度の大きさの文字（以下マイクロ文字と呼ぶ。）で構成された印刷物がある（例えば特許文献１参照）。
【０００７】
マイクロ文字を施した印刷物の場合、複写機で複製すると解像度の関係で、マイクロ文字が潰れて再現できない点を利用しており、当該部分をルーペ等で拡大して観察し、真偽判別を行うものである。
【０００８】
さらに、マイクロ文字で構成された箇所を事前情報として持たない一般人でも、印刷物中のマイクロ文字の箇所が容易に推定できるよう、目視で画像として判読可能な大きさの文字から、複写機で複製されないマイクロ文字まで、連続的に、又は段階的に変化させた文字等のパターンが印刷されている印刷物もある（例えば特許文献２参照）。
【０００９】
しかしながら、この方法でも印刷物を取り扱う人が、当該部分をルーペ等で拡大して観察することにより真偽判別を行うという意思を持たなければ、偽造等を見過ごしてしまうおそれがある。
【００１０】
【特許文献１】特許第３３９２８９２号公報
【特許文献２】特開平０９−３００８６９号公報
【発明の開示】
【発明が解決しようとする課題】
【００１１】
しかしながら、微小文字については、その存在自体を完全に認識できないものではなく、画線のように見えるという程度であり、主たる目的は複写防止である。したがって、一端微小文字の存在が明確化してしまうと、近年の画像処理技術等により、偽造防止策としては、以前と比較すると効果は薄れてきている状況でもある。
【００１２】
また、印刷物に施された隠し文字なども、周辺の画線構造を考慮したものではなく、文字自体もその存在を隠すための処理も施されておらず、隠し文字の効果を十分に発揮していない状況にある。
【００１３】
本発明は、印刷物を構成する線画の一つである彩紋模様の偽造防止機能を低下させず、前記彩紋模様の一部を文字列で構成することで、肉眼では彩紋模様が構成されているように認識されるが、その情報を知っている者に限り、真正品の文字を施されている箇所を拡大鏡等で観察することで文字を視認し、真正品であることを判別可能とする印刷物を提案することを目的とする。
【課題を解決するための手段】
【００１４】
本発明は、基材上の少なくとも一部に彩紋模様が施された印刷物において、彩紋模様の少なくとも一部が文字によって形成された印刷物である。
【００１５】
また、本発明は文字が２００μｍ〜１,０００μｍの大きさであることを特徴としている。
【００１６】
また、本発明は、彩紋模様の同一基本線上に設けられた文字と彩紋模様との間に３０μm〜２００μmの隙間を有することを特徴とする印刷物である。
【００１７】
また、本発明は、彩紋模様の同一基本軸線上に設けられた文字の画線構造と彩紋模様の画線構造が近似していることを特徴とする印刷物である。
【発明の効果】
【００１８】
本発明によれば、彩紋模様の一部を共有している文字、数字などの記号で形成するため、印刷物を構成する要素に彩紋模様が使用されていればよく、細画線で構成された偽造防止効果のある彩紋本来の効果を有しつつ、鑑定要素となる技術が施せる。
【００１９】
従来の微小文字は、微小文字群として構成することで、肉眼では画線として認識されるように施されているが、主たる目的は複製した際に忠実に再現されず、画線となってしまうことで、真正品との差別化が図れるものであり、群として構成されているために、念入りに肉眼で真正品を観察すると、どの箇所に施されているか確認できてしまうため、いったん確認されると現在の高性能な画像処理装置などを考慮すると、その偽造防止効果は若干低くなっている。本発明によれば、帯彩紋の構成の中で文字をランダムに施すことが可能で、かつ帯彩紋の周期と文字の周期を合わせて（同調させて）形成しているために帯彩紋として視認されることから、その存在自体を確認することが非常に困難であり、偽造防止技術自体が施されていることも気づかれず、偽造防止効果が高く、特に鑑定要素としての効果がある。
【発明を実施するための最良の形態】
【００２０】
本発明における帯彩紋の一部に文字を有する印刷物の実施の形態について、図面を参照して説明する。
【００２１】
図１は、本発明における帯彩紋の一部に文字を有した彩紋模様が施された印刷物全体を示す字を有した彩紋模様（２）が施されているが、特に基材（１）の全面に彩紋模様（２）が施されていてもよい。彩紋の大きさ、数、場所、さらに基材の大きさ等については限定されるものではない。
【００２２】
図１は、有価証券や通行券等の大きさの印刷物を対象としており、帯彩紋については、前記帯彩紋の幅が３００μｍ〜１,０００μｍ、好ましくは５００μｍ〜８００μｍによって構成している。ただし、帯彩紋を構成している画線幅が太かったり、画線の密集度が高い場合は、帯彩紋の一部に施す文字自体の画線構成が密である必要があるため、使用できる文字は限定される。ここで言う文字とは、文字及び数字等の記号であっても良く、同様の効果を生ずるものであれば何ら限定するものではない。
【００２３】
帯彩紋に施す文字の場所については、帯彩紋を構成しているそれぞれの彩紋の周期に対して規則的に配すことによって、より帯彩紋から受ける違和感は緩和される。
【００２４】
文字の大きさについては、図のような有価証券や通行券等の印刷物の場合、１００μｍから１０００μｍの範囲、好ましくは３００μｍ〜６００μｍである。１００μｍより小さい場合には、印刷した際に文字として認識が不可能となり、１,０００μｍより大きくなると一見して印刷物上に文字が認識できてしまうからである。
【００２５】
帯彩紋と文字との間には隙間を有しているが、必ずしもこの隙間を必要とするものではなく、文字と帯彩紋が連続的に構成されていてもよい。ただし、文字として認識しやすくするためには、若干の隙間を有することが望ましい。
【００２６】
図２は、本発明における彩紋の一部に文字を施した彩紋模様を作成するためのフローを示す図である。まず、印刷物に施す任意の帯彩紋を作成する。（Ｆ１）次に、帯彩紋に施す文字を決定する。（Ｆ２）この文字は、印刷物に応じて、設計者又は製品の発注者が決めるものである。次に、帯彩紋の画線の構造や色み等から文字を施す場所を決定（Ｆ３）した後、帯彩紋として違和感のないように、文字の大きさ、文字を形成する画線の幅、文字の外形等を必要に応じて変形する。（Ｆ４）
【００２７】
帯彩紋と文字の一部変形が完了した後、帯彩紋としての調整を行う。（Ｆ５）この調整は、最終的な色み、版立て及び他のデザインや技術（特に偽造防止技術）への影響を検討するものである。この調整によって最終的に画像として完成したデータを、実際に出力する形式に変換する（Ｆ６）ことも含まれる。
【００２８】
完成した画像を直接フィルムに出力（Ｆ７）し、そのフィルムから所望の印刷方式に合った版面を作成して印刷する（Ｆ８）ことで、印刷物が得られる。この印刷方式については、凹版印刷、凸版印刷、オフセット印刷、スクリーン印刷等、彩紋模様の印刷が可能な方式であれば特に限定されるものではない。
【実施例１】
【００２９】
図３では彩紋模様（２）を線画ソフトを用いて作成した。帯状の彩紋（２）は幅２００μｍ〜５００μｍを基本とし、同程度の字高をもった文字列（３）「ＡＢＣ」を帯彩紋の一部に施した。この場合、帯彩紋の画線と文字列は５０μｍ〜１００μｍの隙間を有することとし、帯彩紋の基本軸と文字列の基本軸を同一にする。帯彩紋の色については特に限定されるものではなく、本実施例では帯彩紋と文字列の画線との隙間が目立たないように、帯彩紋の画線構成と色を考慮して、その距離を調整してオフセット印刷方式で印刷した。この印刷物を文字が施されていることを知らない者が肉眼で見た場合、施された文字を認識することは不可能であったが、箇所を指定して拡大鏡で確認した場合、「ＡＢＣ」の文字がはっきり認識可能であった。
【００３０】
帯彩紋は彩紋が規則的に集合し、結合したものであるため、帯彩紋の構造には周期性がある。図３では、文字も一文字「Ａ」,「Ｂ」,「Ｃ」それぞれを一周期ととらえて、帯彩紋の一周期の長さ（ａ）と一文字の長さ（ｂ）を合わせて作成する。
【実施例２】
【００３１】
図４では、一つの文字列（３）「ＡＢＣ」を一周期ととらえて、帯彩紋の一周期の長さ（ｃ）と一つの文字列（３）「ＡＢＣ」の長さ（ｄ）を合わせて作成する。
【実施例３】
【００３２】
一つの帯彩紋は幾つかの帯彩紋から構成されている。帯彩紋を構成している一つの帯彩紋も同様に一周期として捉えることができる。図５では、帯彩紋を構成している一つの帯彩紋の一周期の長さと、一つの文字列の長さを合わせて作成する。
【実施例４】
【００３３】
図６では、帯彩紋の一部に施す文字の変形した状態を示す図である。文字は帯彩紋の外形に合わして基になる文字（ｅ）に対して字高（ｆ）、文字の画線幅（ｇ）、文字の形状（ｈ）を変形させている。
【実施例５】
【００３４】
図７は彩紋模様に対して有色蛍光インキを用いたものを示す図である。文字と彩紋の一部の画線について、その他の画線と可視光下で同色の有色蛍光インキによって印刷し、可視光下で肉眼では施された文字及び彩紋の一部の画線の存在を認識することが困難であるが、紫外線ランプ（５）により紫外線を照射することで、有色蛍光インキによって印刷された部分（７）が発光し、特に文字の部分が明確に認識できることとなる。
【図面の簡単な説明】
【００３５】
【図１】本発明における彩紋の一部に文字を有した線画模様が施された印刷物を示す図である。
【図２】本発明における彩紋の一部に文字を施すフローを示す図である。
【図３】本発明における彩紋の一部に文字が施された状態を示す図である。
【図４】本発明における彩紋の一部の文字の周期の例を示す図である。
【図５】帯彩紋を構成する一つの彩紋の一部に文字が施された状態を示す図である。
【図６】文字を変形した具体例を示す図である。
【図７】蛍光インキを用いた実施例を示す図である。
【符号の説明】
【００３６】
１基材
２画線で構成された帯彩紋
３変形前の文字
４変形後の文字
５紫外線ランプ
６可視光下で視認可能な画線
７有色蛍光インキによる画線
【図１】
0004682282.tif 000002
【図２】
0004682282.tif 000003
【図３】
0004682282.tif 000004
【図４】
0004682282.tif 000005
【図５】
0004682282.tif 000006
【図６】
0004682282.tif 000007
【図７】
0004682282.tif 000008